(57)【要約】  インサータ（１０）は、入紙（５４）を搬送するための複数のホッパ（３２）を有するホッパ区分（３０）と、複数の折り畳まれた被印刷製品（５２）を搬送するコンベヤとを有し、被印刷製品（５２）がホッパ区分（３０）から少なくとも１つの入紙（５４）を受け取る。閉鎖装置（２０）は、少なくとも１つの入紙（５４）を含む複数の被印刷製品（５２）のうちの１つの被印刷製品の縁部にシールエレメント（２２）を提供する。新聞（５０）及び方法も提供される。
2009517247.tif 000002
【特許請求の範囲】
【請求項１】
インサータにおいて、
入紙を供給するための複数のホッパを有するホッパ区分と、
複数の折り畳まれた被印刷製品を搬送するコンベヤとが設けられており、被印刷製品がホッパ区分から少なくとも１つの入紙を受け取るようになっており、
少なくとも１つの入紙を含む複数の被印刷製品のうちの１つの被印刷製品の縁部にシールエレメントを提供する閉鎖装置が設けられていることを特徴とする、インサータ。
【請求項２】
前記閉鎖装置がグリッパを有し、各グリッパが可動な脚と主要区分とを有する、請求項１記載のインサータ。
【請求項３】
閉鎖装置が、グリッパのうちの１つに取り付けられたカムフォロアを有する、請求項２記載のインサータ。
【請求項４】
グリッパがシールエレメントを被印刷製品に提供する、請求項２記載のインサータ。
【請求項５】
閉鎖装置が、シールエレメントを保持するためのシールエレメント貯蔵部若しくは積層部を有する、請求項１記載のインサータ。
【請求項６】
閉鎖装置が、シールエレメントに接着剤を塗布するためのアプリケータを有する、請求項１記載のインサータ。
【請求項７】
コンベヤが新聞コンベヤである、請求項１記載のインサータ。
【請求項８】
さらに、コンベヤの移動と閉鎖装置の移動とを同期させるための制御装置が設けられている、請求項１記載のインサータ。
【請求項９】
新聞において、
３つの折り畳まれていない縁部を有する折り畳まれたジャケットが設けられており、
折り畳まれたジャケットの内部に入紙が設けられており、
該入紙をジャケット内において保持するために、折り畳まれていない縁部のうちの少なくとも１つにおいてジャケットに接着により取り付けられたシールエレメントが設けられていることを特徴とする、新聞。
【請求項１０】
ジャケットの外側に保護カバーが設けられており、シールエレメントが保護カバーに接触している、請求項９記載の新聞。
【請求項１１】
シールエレメントが、印刷されたシールエレメントである、請求項９記載の新聞。
【請求項１２】
折り畳まれていない縁部のうちの他の２つをシールする、２つの他のシールエレメントがさらに設けられている、請求項９記載の新聞。
【請求項１３】
被印刷製品がコンベヤに沿って搬送されながら複数の折り畳まれた被印刷製品を閉鎖する方法において、
複数の折り畳まれた被印刷製品をホッパ区分を通って移動させるステップを含み、入紙が、折り畳まれた被印刷製品内に配置され、
入紙を有する複数の折り畳まれた被印刷製品をコンベヤに沿って移動させるステップを含み、
閉鎖装置をコンベヤと同期させるステップを含み、
シールされた被印刷製品を形成するために、閉鎖装置を用いて、入紙を有する折り畳まれた被印刷製品のうちの１つにシールエレメントを提供するステップを含み、
シールされた被印刷製品をさらにコンベヤに沿って搬送するステップを含むことを特徴とする、被印刷製品がコンベヤに沿って搬送されながら複数の折り畳まれた被印刷製品を閉鎖する方法。
【請求項１４】
シールされた被印刷製品が新聞である、請求項１３記載の方法。
【請求項１５】
前記提供するステップが、新聞の縁部の周囲にグリッパの脚を回転させることによって新聞に接触し、グリッパの脚から新聞に圧力を加えることを含む、請求項１４記載の方法。
【発明の詳細な説明】
【技術分野】
【０００１】
背景
本発明は、シート材料集合体を形成するために使用するための装置に関する。
【０００２】
米国特許第４９７４８２９号明細書は、新聞紙を分配する方法を開示している。この方法は、新聞入紙を丁合し、別個の包装されたパッケージを提供するために丁合された入紙を包装し、新聞セクションを丁合し、丁合された新聞セクション及び入紙の包装されたパッケージを顧客に分配する。包装は、丁合された入紙の周囲にプラスチックシートを提供し、丁合された入紙の周囲にシートをシールすることを含む。
【０００３】
米国特許第５４２８９３７号明細書は、新聞をパッケージングするための装置を開示している。この特許の原理は、新聞包装装置を通って搬送されるときに新聞の上面及び下面上に保護材料のシートが展開される形式を改良することに関する。
【０００４】
米国特許第４７２３７７０号明細書及び米国特許第６３１１９６８号明細書は、被印刷材料の第１のセットを開放させながら保持するためのトップグリッパを開示しており、これにより、被印刷材料の第２のセットが被印刷材料の第１のセットに挿入される。
【０００５】
米国特許第５１８６４４３号明細書は、新聞の読者の特徴に関して変化する材料を含むように新聞を丁合する方法を開示している。米国特許第５１８６４４３号明細書は、読者を特定する被印刷表示を備えた新聞を丁合する方法も開示している。
【０００６】
米国特許第６７０５６０８号明細書は、引用により本明細書に記載されたものとするが、軌道に沿って走行する少なくとも１つのポケットを有するシート材料搬送装置を開示しており、ポケットは、シート材料を収容するためのベース区分と、シート材料の縁部を保持するための少なくとも１つのグリッパを有する上部区分とを有している。米国特許第６７０５６０８号明細書は、ポケットの上部グリッパの距離を設定するための方法も開示している。
【０００７】
米国特許第６０８２７２４号明細書は、引用により本明細書に記載されたものとするが、シート材料集合体を形成するために使用するための装置を開示している。この装置は、コンベヤに沿って配置された複数の物品フィーダアセンブリを有している。
【０００８】
発明の簡単な概要
本発明の目的は、入紙が保持された被印刷製品を効率的かつ費用対効果よく提供するための装置及び／又は方法を提供することである。本発明の択一的な又は付加的な目的は、このような入紙を備えた製品を提供することである。
【０００９】
本発明は、インサータを提供し、このインサータには、入紙を提供するための複数のホッパを有するホッパ区分と、複数の折り畳まれた被印刷製品を搬送するコンベヤとが設けられており、被印刷製品がホッパ区分から少なくとも１つの入紙を受け取るようになっており、少なくとも１つの入紙を含む複数の被印刷製品のうちの１つの被印刷製品の縁部にシールエレメントを提供する閉鎖装置が設けられている。
【００１０】
入紙を備えた被印刷製品は有利には費用対効果よくかつ効率的にシールされることができる。シールされた製品は有利には、バッグ詰めされた被印刷製品よりも簡単に積層及び貯蔵されることができる。
【００１１】
閉鎖装置は、可動な脚及び主要区分を有するグリッパを有することができる。可動な脚にはカムフォロアが取り付けられている。これにより、グリッパは被印刷製品にシールエレメントを提供する。
【００１２】
閉鎖装置は、シールエレメントを保持するためのシールエレメント貯蔵部若しくは積層部を有している。閉鎖装置は好適には、シールエレメントに接着剤を提供しかつシールエレメントをグリッパに配置するためのアプリケータをも有している。
【００１３】
本発明は、例えば被印刷出版物、新聞セクション又はその他の折り畳まれた材料、折り畳まれたジャケット内に配置された入紙、及びジャケットを閉鎖するシールエレメントから成るジャケットを有する新聞をも提供する。新聞は保護カバーをも有する。
【００１４】
本発明は、被印刷製品がコンベヤに沿って搬送されている間に複数の折り畳まれた被印刷製品を閉鎖する方法をも提供し、この方法は、複数の折り畳まれた被印刷製品をホッパ区分を通って移動させるステップを含み、入紙は折り畳まれた被印刷製品内に配置され、さらに、入紙を有する複数の折り畳まれた被印刷製品をコンベヤに沿って移動させるステップと、閉鎖装置をコンベヤと同期させるステップと、シールされた被印刷製品を形成するために閉鎖装置を使用して入紙を有する折り畳まれた被印刷製品の１つにシールエレメントを提供するステップと、シールされた被印刷製品を更にコンベヤに沿って搬送するステップとを含む。
【００１５】
好適には、シールされた被印刷製品は新聞である。
【００１６】
提供するステップは、新聞の縁部の周囲にグリッパの脚を回転させかつグリッパの脚から新聞に圧力を加えることによって新聞との接触を生ぜしめることも含む。
【００１７】
図面の簡単な説明
本発明は、好適な実施形態を引用しながら説明される。
【００１８】
図１は、本発明によるインサータの側面図を示している。
【００１９】
図２は、ポケット、グリッパ及びカム装置の斜視図を示している。
【００２０】
図３は、保護カバーを備えたシールされた新聞の平面図を示している。
【００２１】
図４は、保護カバーを備えたシールされた新聞の斜視図を示している。
【００２２】
図５，６及び７は、図４の実施形態の択一的なシールされた新聞を示している。
【００２３】
好適な実施形態の詳細な説明
図１は、複数のホッパ３２を有するホッパ区分３０を有するインサータ１０を示している。米国特許第６０８２７２４号明細書は、引用により本明細書に記載されたものとするが、例えば複数の可能なホッパを示している。インサータ１０は、複数のポケット４２を有するコンベヤ４０をも有している。各ポケット４２はポケット壁部４４，４６及び底部ゲート４８を有している。ポケット壁部４４，４６は可動壁４４及び固定壁４６を有している。底部ゲート４８は開放することができ、可動壁４４は、固定壁４６に向かって又は固定壁から離れるように移動することができる。
【００２４】
新聞５０は、ジャケット５２と、ポケット４２に収集された入紙５４とを有している。ジャケット５２は、複数の新聞セクション又はその他の印刷された折り畳まれた材料を含む。ジャケット５２の高さもポケット壁部４４，４６を越えて延びている。ジャケット５２もポケット４４，４６の側部を横方向に越えて、例えば図１における紙面の中へ又はこの紙面から出てくるように延びている。
【００２５】
インサータ１０は閉鎖装置２０を有する。閉鎖装置２０はグリッパ２４及びグリッパコンベヤ６０を有する。グリッパ２４は可動な脚２６及び主要区分２８を有する。グリッパ２４は主要区分２８を介してグリッパコンベヤ６０に沿って移動する。
【００２６】
閉鎖装置２０は、複数のシールエレメント２２を有するシールエレメント貯蔵部若しくは積層部２３を有する。シールエレメント２２は個々にアプリケータ６２を通過して方向Ｄに案内され、個々にグリッパ２４に到達することができる。
【００２７】
グリッパ２４は、シールエレメント２２を保持し、シールエレメント２２をジャケット５２の外面に提供する。シールエレメント２２は紙又はプラスチック材料であることができ、一方の側に接着剤、例えばアプリケータ６２によって提供される糊、を有することができる。アプリケータ６２の直後、接着剤側２５は上方に面しており、グリッパ２４とは反対方向を向いている。脚２６が完全に延長されかつグリッパ２４が上方に面した平坦な面を有する場合、グリッパ２４はシールエレメント２２を受け取る。図１において、グリッパ２４がグリッパコンベヤ６０の循環路の上部に位置する場合にこの位置が生じる。
【００２８】
積層体２３及びアプリケータ６２の代わりに、シールエレメント２２の引渡しは、所定の長さに切断されるテープのロール又はラベルキャリヤフィルムからであることができ、ラベルは、例えば予め塗布された接着剤を有する。
【００２９】
シールエレメント２２は、例えば真空、静電気又は機械的なグリッパによってグリッパ２４に保持される。真空は、例えば、閉鎖装置２０がグリッパコンベヤ６０に沿って走行しながらシールエレメント２２をグリッパ２４に保持するために吸引を使用する。グリッパ２４がシールエレメント２２を新聞５０に提供すると、真空は吸引を解放する。
【００３０】
グリッパ２４はグリッパコンベア６０に沿って方向Ｅに走行する。グリッパコンベヤ６０は、モータ９２によって駆動され、例えばコンベヤ４０の動作をも制御する制御装置９０によってポケットコンベヤ４０と同期させられている。グリッパ２４がポケット４２に接近すると、脚２６が閉鎖し始める。脚２６は、開放するようにばね負荷されている。
【００３１】
主要区分２８がグリッパコンベヤ６０に沿って移動しながら、カム装置７０は脚２６をばね作用に抗して回転させる（図２）。シールエレメント２２と新聞５０が互いに接触しながら、脚２６は閉鎖し続ける。グリッパ２４が閉鎖し、シールエレメント２２を新聞５０の上端部の周囲に折り曲げ、新聞５０に圧力を加える。次いで、グリッパ２４の圧力がシールエレメント２２を新聞５０に提供しながら、真空がシールエレメント２２に対する吸引を解放する。シールエレメント２２は新聞５０に接着され、グリッパ２４が解放し、新聞５０がシールエレメント２２でシールされたままになる。
【００３２】
グリッパ２４がシールエレメント２２を提供した後、グリッパ２４はグリッパコンベヤ６０に沿って走行し続ける。グリッパ２４の脚２６は、グリッパ２４が平坦になるまで外方へ回転することによって新聞５０を解放する。グリッパ２４は、グリッパコンベヤ６０に沿って走行し続け、別のシールエレメント２２を受け取り、再びサイクルを開始する。
【００３３】
次いで、新聞５０は、ポケット４２から取り出される。底部ゲート４８及び可動壁４４が開放し、新聞５０を例えば下方の別のコンベヤ上へ落下させる。択一的に、新聞５０をポケット４２の上部から取り出して新聞５０をさらに搬送するためにグリッパ２４が使用されることができる。
【００３４】
新聞５０は別の閉鎖装置を通って搬送されることができ、この場合、コンベヤ６０はコンベヤ４０に隣接しており、これにより、別のシールエレメント１２２，２２２が新聞５０の別の側に提供され、図３に示されたように３つの側においてシールされたシールされた新聞８０を提供する。
【００３５】
ここで図２を参照すると、３つの閉鎖装置２０がグリッパ２４，１２４，２２４を介して図３に示されたシールエレメント２２，１２２，２２２を提供することが理解されるべきである。グリッパ２４，１２４，２２４は、それぞれ図１における閉鎖装置２０と同じ形式で機能しかつ同じ構成を有する、脚２６，１２６，２２６及び主要区分２８，１２８，２２８を有する。
【００３６】
図２は、グリッパ２４と、ポケット４２と、新聞５０と、カム装置７０との斜視図をも示している。新聞５０は、図３にも示された保護カバー５１を有する。カム装置７０は、カム７２と、カム面７３と、脚２６に結合されたカムフォロア７４とを有する。
【００３７】
ポケット４２はポケットコンベヤ４０に沿って走行する。カムフォロア７４は、カム面７３及びカム７２と相互作用する。グリッパ２４が、接近するポケット４２に近づくと、カム７２とカム面７３とがカムフォロア７４をばね負荷された脚２６に抗して移動させる。脚２６は、新聞５０と接触するまで、内方へ、互いに向かって及びポケット４２に向かって移動する。各脚２６は個々のカムフォロア及びカムを有するか、脚２６は、１つのカムフォロアを介して閉鎖するように結合されていることができる。脚２６及びグリッパ２４は、新聞５０に圧力を加え、シールエレメント２２は新聞５０に接着される。予め配置された保護カバー５１は、新聞５０の外側層を保護するために使用され、シールエレメント２２における接着剤は、したがって、保護カバー５１に接触するだけである。
【００３８】
図３は、シールされた新聞８０を示している。シールエレメント２２，１２２，２２２が個々にグリッパ２４，１２４，２２４によって提供された後、シールされた新聞８０は新聞５０を有する。シールされた新聞８０は保護カバー５１をも有する。シールエレメント２２，１２２，２２２は例えば、シールエレメント２２，１２２，２２２の露出された面において、例えば広告、販売促進又はその他の文字伝達事項をも有することができる。シールエレメント２２，１２２，２２２は保護カバー５１に接着される。保護カバー５１の寸法は、示されたようにジャケット５２の幅及び高さよりも小さい。
【００３９】
図４は、シールエレメント２２，１２２，２２２が提供された後の、シールされた新聞８０の斜視図を示している。例えば図５に示されたように保護カバー５１は存在する必要はないことが理解されるべきである。その場合、シールエレメント２２，１２２，２２２における接着剤は新聞５０からインキを除去せず、容易に取外し可能であるならば好適である。入紙５４は既にジャケット５２内に配置されて示されている。図６及び図７は、新聞８０のための別の可能な実施形態を示している。
【００４０】
ここに定義されているような被印刷製品は、新聞、又は雑誌等のその他のシート状の材料を含むことができる。
【００４１】
前記説明において、本発明は、特定の典型的な実施形態及び実施例を引用して説明されている。しかしながら、請求項に示されているような発明のより広い精神及び範囲から逸脱することなく、前記実施形態及び実施例に様々な改良及び修正がなされることは明らかである。明細書及び図面はしたがって、制限的意味ではなく例示的形式で見なされるべきである。
【図面の簡単な説明】
【００４２】
【図１】本発明によるインサータの側面図を示している。
【図２】ポケット、グリッパ及びカム装置の斜視図を示している。
【図３】保護カバーを備えたシールされた新聞の平面図を示している。
【図４】保護カバーを備えたシールされた新聞の斜視図を示している。
【図５】図４の実施形態の択一的なシールされた新聞を示している。
【図６】図４の実施形態の択一的なシールされた新聞を示している。
【図７】図４の実施形態の択一的なシールされた新聞を示している。
【符号の説明】
【００４３】
１０  インサータ、  ２０  閉鎖装置、  ２２  シールエレメント、  ２３  シールエレメント貯蔵部若しくは積層部、  ２４  グリッパ、  ２６  脚、  ２８  主要区分、  ３０  ホッパ区分、  ３２  ホッパ、  ４０  コンベヤ、  ４２  ポケット、  ４４，４６  ポケット壁部、  ４８  底部ゲート、  ５０  新聞、  ５１  保護カバー、  ５２  ジャケット、  ５４  入紙、  ６０  グリッパコンベヤ、  ６２  アプリケータ、  ７０  カム装置、  ７２  カム、  ７３  カム面、  ７４  カムフォロア、  ８０  シールされた新聞、  ９０  制御装置、  ９２  モータ
【図１】
2009517247.tif 000003
【図２】
2009517247.tif 000004
【図３】
2009517247.tif 000005
【図４】
2009517247.tif 000006
【図５】
2009517247.tif 000007
【図６】
2009517247.tif 000008
【図７】
2009517247.tif 000009
【国際調査報告】
2009517247.tif 000010